(57)【特許請求の範囲】
【請求項１】
外郭を構成するボデーと、前記ボデー上部に設けた注口と、前記ボデー内部に液体を収納する有底筒状の容器と、前記容器内の液体を加熱する発熱体と、前記容器の上方開口部を覆う前記注口のヒンジ部により回動自在とする蓋体とを備え、前記蓋体には、前記注口に設けたフック部と係合するロックレバーと、回動させることにより前記ロックレバーを摺動させて前記フック部との係合を解除するロックつまみと、前記ロックレバーを前記フック部に係合する方向に付勢するロックばねとを有し、前記ロックつまみを所定量回動させたときに、前記ロックつまみが前記ロックレバーに設けた動作部に当接して前記ロックレバーの摺動を開始させるとともに、前記ロックばねの付勢力により前記フック部の先端と前記ロックレバーが当接し、前記フック部と前記ロックレバーが係合状態でも、係合解除状態でもない中立状態のときに、前記ロックつまみに設けたストッパー受部に当接して、前記ロックつまみが自重で回動前の位置に戻ることを阻止するストッパー部を、前記ロックレバーに設けた電気湯沸かし器。
【請求項２】
ロックレバーのストッパー部を、ロックつまみが所定量回動する間は、前記ロックつまみのストッパー受部が描く略円弧状の軌跡の外側に位置し、前記ロックつまみをさらに回動させて前記ロックレバーをさらに摺動させたときに、前記軌跡の内側に移動する位置に設けた請求項１記載の電気湯沸かし器。
【請求項３】
ロックレバーのストッパー部を、前記ロックレバーが摺動すると前記ロックつまみのストッパー受部と当接して前記ロックつまみが回動を開始する位置に設けた請求項２記載の電気湯沸かし器。
【請求項４】
ロックレバーのストッパー部は、ストッパー効果を有する部位を複数箇所設けた請求項２もしくは請求項３記載の電気湯沸かし器。
【発明の詳細な説明】
【０００１】
【発明の属する技術分野】
本発明は、電気湯沸かし器の蓋体の開閉機構に関するものである。
【０００２】
【従来の技術】
従来この種の電気湯沸かし器は、図７に示すようなものであった。以下に従来の電気湯沸かし器の構造を詳述する。図７において、１１１は外郭を構成するボデーで、液体（湯）１１３を収容する容器１１４を内包している。１１２はボデー１１１の上部に設けた注口で、中央開口部に容器１１４を設けている。１１５は液体１１３を加熱・保温する発熱体で、容器１１４の底面部裏面に固着している。１２０は容器１１４の上方開口部を覆う蓋体で、注口１１２のヒンジ部１１２ａにより回動自在にされている。また蓋体１２０には注口１１２と一体のフック部１１２ｂと係合するロックレバー１２１と、その係合を解除するロックつまみ１２４を設け、ロックレバー１２１を係合状態に付勢するロックばね１２２が装着されており、さらにロックつまみ１２４の操作に要する操作用開口部１２３を設けている。また、ロックレバー１２１とロックつまみ１２４の回動方向で係合解除側に遊びを設け、ロックレバー１２１にはロックつまみ１２４の回動開始時の操作力を調整するためのレバーばね１２６を装着している。ロックつまみ１２４が所定量回動したときにロックレバー１２１の動作部１２１ａに当接してロックレバー１２１が図面右側方向へ摺動を開始する構成となっている。従来例では、その所定量をロックつまみ端面１２４ｂが５〜３０ｍｍの範囲移動する量としている。
【０００３】
前記構成の動作を説明する。容器１１４に液体１１３を入れるため蓋体１２０を開ける場合は、人による操作により蓋体１２０に装着されたロックつまみ１２４をロックつまみ１２４表面に対して押すかまたは操作用開口部１２３側から上方へ引張ることにより回動させ注口１１２と係合しているロックレバー１２１を解除している。人による操作によりロックつまみ１２４はロックつまみ１２４の軸部１２４ａを中心に回動し、ロックレバー１２１を注口１１２との係合解除側（図面右側方向）へ摺動開始するまでに遊びがあり、その間でロックつまみ１２４はレバーばね１２６を圧縮する。ロックつまみ１２４が所定量回動したときにロックレバー１２１の動作部１２１ａに当接してロックレバー１２１が図面右側方向へ摺動を開始する。ロックつまみ１２４をさらに回動することでロックレバー１２１をさらに摺動させ、ロックレバー１２１が一定の距離を摺動して注口１１２との係合を解除し、蓋体１２０はヒンジ部１１２ａを中心に回動することができる。
【０００４】
また、蓋体１２０を閉める状況として次の２通りが一般的である。一方は、ロックつまみ１２４への人による操作がされない状態で閉める場合であり、他方は人による操作が保たれた状態で閉める場合である。前者においては、注口１１２のフック部１１２ｂの傾斜形状を利用し、蓋体１２０に加えられる閉力の水平方向の分力によってロックレバー１２１を注口１１２との係合解除側（図面右側方向）へ摺動させる。ロックレバー１２１が一定の距離を摺動して注口１１２のフック部１１２ｂの先端を乗り越えると、ロックレバー１２１はロックばね１２２によって係合状態に付勢されているため注口１１２と係合する。後者においては、ロックつまみ１２４への人による操作が保たれた状態で、蓋体１２０をヒンジ部１１２ａを中心に回動させて閉める。最後にロックつまみ１２４への人による操作を停止すると、ロックレバー１２１はロックばね１２２によって係合状態に付勢されているため注口１１２と係合する。
【０００５】
また、蓋体１２０の開閉時に注口１１２のフック部１１２ｂの先端とロックレバー１２１とが当接状態の半係合がまれに発生する。これはロックレバー１２１がロックばね１２２によって付勢されているため、係合状態でもなく係合解除状態でもない中立状態で蓋体１２０が止まる現象である。この場合、ロックつまみ１２４は回動前の状態である。
【０００６】
【発明が解決しようとする課題】
しかしながら、前記従来の構成では蓋体の開閉時に注口のフック部とロックレバーとが当接状態の半係合が発生した場合、その状態が正常であるか異常であるかの判別が困難であった。
【０００７】
本発明は前記従来の問題点を解決するもので、ロックつまみの二段階操作方式による操作性と安全性を確保し、かつ蓋体の半係合が発生した場合にロックつまみが自重で回動前の位置に戻ることを阻止する機能を従来と同じ構成部品に付加し、その状態が異常であることを視覚的に容易に判別できる電気湯沸かし器を提供することを目的とする。
【０００８】
【課題を解決するための手段】
前記課題を解決するために本発明は、外郭を構成するボデーと、前記ボデー上部に設けた注口と、前記ボデー内部に液体を収納する有底筒状の容器と、前記容器内の液体を加熱する発熱体と、前記容器の上方開口部を覆う前記注口のヒンジ部により回動自在とする蓋体とを備え、前記蓋体には、前記注口に設けたフック部と係合するロックレバーと、回動させることにより前記ロックレバーを摺動させて前記フック部との係合を解除するロックつまみと、前記ロックレバーを前記フック部に係合する方向に付勢するロックばねとを有し、前記ロックつまみを所定量回動させたときに、前記ロックつまみが前記ロックレバーに設けた動作部に当接して前記ロックレバーの摺動を開始させるとともに、前記ロックばねの付勢力により前記フック部の先端と前記ロックレバーが当接し、前記フック部と前記ロックレバーが係合状態でも、係合解除状態でもない中立状態のときに、前記ロックつまみに設けたストッパー受部に当接して、前記ロックつまみが自重で回動前の位置に戻ることを阻止するストッパー部を、前記ロックレバーに設けたものである。これによりロックつまみの二段階操作方式による操作性と安全性を確保し、かつフック部とロックレバーが係合状態でも、係合解除状態でもない中立状態で蓋体の半係合が発生した場合にロックつまみが自重で回動前の位置に戻ることを阻止する。
【０００９】
【発明の実施の形態】
本発明の請求項１に記載の発明は、外郭を構成するボデーと、前記ボデー上部に設けた注口と、前記ボデー内部に液体を収納する有底筒状の容器と、前記容器内の液体を加熱する発熱体と、前記容器の上方開口部を覆う前記注口のヒンジ部により回動自在とする蓋体とを備え、前記蓋体には、前記注口に設けたフック部と係合するロックレバーと、回動させることにより前記ロックレバーを摺動させて前記フック部との係合を解除するロックつまみと、前記ロックレバーを前記フック部に係合する方向に付勢するロックばねとを有し、前記ロックつまみを所定量回動させたときに、前記ロックつまみが前記ロックレバーに設けた動作部に当接して前記ロックレバーの摺動を開始させるとともに、前記ロックばねの付勢力により前記フック部の先端と前記ロックレバーが当接し、前記フック部と前記ロックレバーが係合状態でも、係合解除状態でもない中立状態のときに、前記ロックつまみに設けたストッパー受部に当接して、前記ロックつまみが自重で回動前の位置に戻ることを阻止するストッパー部を、前記ロックレバーに設けたものである。
【００１０】
これによりロックつまみの二段階操作方式による操作性と安全性を確保し、かつフック部とロックレバーが係合状態でも、係合解除状態でもない中立状態で蓋体の半係合が発生した場合にロックつまみが自重で回動前の位置に戻ることを阻止する機能を従来と同じ構成部品に付加し、その状態が異常であることを視覚的に容易に判別できる。
【００１１】
請求項２に記載の発明は、ロックレバーのストッパー部を、ロックつまみが所定量回動する間は、前記ロックつまみのストッパー受部が描く略円弧状の軌跡の外側に位置し、かつ前記ロックつまみをさらに回動させて前記ロックレバーをさらに摺動させたときに、前記軌跡の内側に移動する位置に設けたものである。
【００１２】
これによりロックつまみの二段階操作方式による操作性と安全性を確保し、かつ特にロックつまみへの人による操作が保たれた状態で、さらにフック部とロックレバーが係合状態でも、係合解除状態でもない中立状態で、蓋体が半係合になった場合にロックつまみが自重で回動前の位置に戻ることを阻止する機能を従来と同じ構成部品に付加し、その状態が異常であることを視覚的に容易に判別できる。
【００１３】
請求項３に記載の発明は、ロックレバーのストッパー部を、前記ロックレバーが摺動すると前記ロックつまみのストッパー受部と当接して前記ロックつまみが回動を開始する位置に設けたものである。
【００１４】
これによりロックつまみの二段階操作方式による操作性と安全性を確保し、かつ特にロックつまみへの人による操作がされない状態で、さらにフック部とロックレバーが係合状態でも、係合解除状態でもない中立状態で、蓋体が半係合になった場合にロックつまみが自重で回動前の位置に戻ることを阻止する機能を従来と同じ構成部品に付加し、その状態が異常であることを視覚的に容易に判別できる。
【００１５】
請求項４に記載の発明は、ロックレバーのストッパー部は、ストッパー効果を有する部位を複数箇所設けたものである。
【００１６】
これによってロックつまみの回動動作の異なる複数の機種に対応することができる。
【００１７】
【実施例】
以下、本発明の実施例について、図１〜図６を参照しながら説明する。本実施例の特徴的構成は蓋体の開閉機構に関するものである。
【００１８】
（実施例１）
図１（ａ）において、１１は外郭を構成するボデーで、液体（湯）１３を収容する容器１４を内包している。１２はボデー１１の上部に設けた注口で、中央開口部に容器１４を設けている。１５は液体１３を加熱・保温する発熱体で、容器１４の底面部裏面に固着している。２０は容器１４の上方開口部を覆う蓋体で、注口１２のヒンジ部１２ａにより回動自在にされている。図１（ｂ）に示すように蓋体２０には注口１２と一体のフック部１２ｂと係合するロックレバー２１と、その係合を解除するロックつまみ２４を設け、ロックレバー２１を係合状態に付勢するロックばね２２が装着されており、さらにロックつまみ２４の操作に要する操作用開口部２３を設けている。また、ロックレバー２１とロックつまみ２４の回動方向で係合解除側に遊びを設け、ロックレバー２１にはロックつまみ２４の回動開始時の操作力を調整するためのレバーばね２６を装着している。ロックつまみ２４が所定量回動したときにロックレバー２１の動作部２１ａに当接してロックレバー２１が図面右側方向へ摺動を開始する構成となっている。本実施例では、その所定量をロックつまみ端面２４ｂが５〜３０ｍｍの範囲移動する量としている。
【００１９】
従来例との違いは、注口１２のフック部１２ｂとロックレバー２１が当接状態の半係合のときにロックつまみ２４のストッパー受部２４ｃに当接してロックつまみ２４が自重で回動前の位置に戻ることを阻止するストッパー部２１ｂをロックレバー２１に設けている。本実施例では、図１（ｂ）に示すようにロックレバー２１のストッパー部２１ｂは、ロックつまみ２４が所定量回動する間にロックつまみ２４のストッパー受部２４ｃが描く略円弧状の軌跡２５の外側、つまり軌跡２５に対してロックつまみ２４の軸部２４ａと反対側で、かつ図２に示すようにロックつまみ２４をさらに回動させてロックレバー２１がさらに摺動することによって軌跡２５の内側、つまり軌跡２５に対してロックつまみ２４の軸部２４ａ側に移動する位置に設けている。
【００２０】
前記構成の動作を説明する。容器１４に液体１３を入れるため蓋体２０を開ける場合は、人による操作により蓋体２０に装着されたロックつまみ２４をロックつまみ２４表面に対して押すかまたは操作用開口部２３側から上方へ引張ることにより回動させ注口１２と係合しているロックレバー２１を解除している。人による操作によりロックつまみ２４はロックつまみ２４の軸部２４ａを中心に回動し、ロックレバー２１を注口１２との係合解除側（図面右側方向）へ摺動開始するまでに遊びがあり、その間でロックつまみ２４はレバーばね２６を圧縮する。ロックつまみ２４が所定量回動したときにロックレバー２１の動作部２１ａに当接してロックレバー２１が図面右側方向へ摺動を開始する。ここで図１（ｂ）に示すように、ロックレバー２１のストッパー部２１ｂはロックつまみ２４が所定量回動する間にロックつまみ２４のストッパー受部２４ｃが描く略円弧状の軌跡２５の外側、つまり軌跡２５に対してロックつまみ２４の軸部２４ａと反対側であるため、ロックつまみ２４の回動に支障を与えない。ロックつまみ２４をさらに回動することでロックレバー２１をさらに摺動させる。ここで図２に示すようにロックレバー２１のストッパー部２１ｂは、ロックつまみ２４をさらに回動させてロックレバー２１がさらに摺動することによって軌跡２５の内側、つまり軌跡２５に対してロックつまみ２４の軸部２４ａ側に移動するので、ストッパー効果が生まれる。ロックレバー２１が一定の距離を摺動して注口１２との係合を解除し、蓋体２０はヒンジ部１２ａを中心に回動することができる。
【００２１】
また、蓋体２０を閉める状況として次の２通りが一般的である。一方は、ロックつまみ２４への人による操作がされない状態で閉める場合であり、他方は人による操作が保たれた状態で閉める場合である。前者においては、注口１２のフック部１２ｂの傾斜形状を利用し、蓋体２０に加えられる閉力の水平方向の分力によってロックレバー２１を注口１２との係合解除側（図面右側方向）へ摺動させる。ロックレバー２１が一定の距離を摺動して注口１２のフック部１２ｂの先端を乗り越えると、ロックレバー２１はロックばね２２によって係合状態に付勢されているため注口１２と係合する。後者においては、ロックつまみ２４への人による操作が保たれた状態で、蓋体２０をヒンジ部１２ａを中心に回動させて閉める。最後にロックつまみ２４への人による操作を停止すると、ロックレバー２１はロックばね２２によって係合状態に付勢されているため注口１２と係合する。
【００２２】
また、蓋体２０の開閉時に注口１２のフック部１２ｂの先端とロックレバー２１とが当接状態の半係合がまれに発生する。これはロックレバー２１がロックばね２２によって付勢されているため、係合状態でもなく係合解除状態でもない中立状態で蓋体２０が止まる現象である。図３にロックつまみ２４への人による操作が保たれた状態で蓋体２０が半係合した状態を示す。図３に示すようにロックレバー２１に設けたストッパー部２１ｂは軌跡２５の内側、つまり軌跡２５に対してロックつまみ２４の軸部２４ａ側に位置しているため、ロックつまみ２４のストッパー受部２４ｃに当接してロックつまみ２４は跳ね上がった状態で静止する。
【００２３】
これによりロックつまみ２４の二段階操作方式による操作性と安全性を確保し、かつ蓋体２０の半係合が発生した場合、特にロックつまみ２４への人による操作が保たれた状態で蓋体２０が半係合になった場合にロックつまみ２４が自重で回動前の位置に戻ることを阻止する機能を従来と同じ構成部品に付加し、その状態が異常であることを視覚的に容易に判別できる。
【００２４】
（実施例２）
本実施例では、図４に示すようにロックレバー２１のストッパー部２１ｂはロックレバー２１が摺動するとロックつまみ２４のストッパー受部２４ｃと当接してロックつまみ２４が回動を開始する位置に設けている。
【００２５】
前記構成の動作を説明する。図５にロックつまみ２４への人による操作がされない状態で蓋体２０が半係合した状態を示す。ここで、蓋体２０をロックつまみ２４への人による操作がされない状態で閉める場合、注口１２のフック部１２ｂの傾斜形状を利用し、蓋体２０に加えられる閉力の水平方向の分力によってロックレバー２１を注口１２との係合解除側へ摺動させる。ロックレバー２１が一定の距離を摺動して注口１２のフック部１２ｂの先端を乗り越える際に、注口１２のフック部１２ｂの先端とロックレバー２１とが当接状態の半係合がまれに発生する。これはロックレバー２１がロックばね２２によって付勢されているため、係合状態でもなく係合解除状態でもない中立状態で蓋体２０が止まる現象である。図４に示すように、ロックレバー２１に設けたストッパー部２１ｂはロックレバー２１が摺動するとロックつまみ２４のストッパー受部２４ｃと当接してロックつまみ２４が回動を開始する位置にあるので、図５の状態では、ロックレバー２１に設けたストッパー部２１ｂはロックつまみ２４のストッパー受部２４ｃに当接してロックつまみ２４は跳ね上がった状態で静止する。
【００２６】
これによりロックつまみ２４の二段階操作方式による操作性と安全性を確保し、かつ蓋体２０の半係合が発生した場合、特にロックつまみ２４への人による操作がされない状態で蓋体２０が半係合になった場合にロックつまみ２４が自重で回動前の位置に戻ることを阻止する機能を従来と同じ構成部品に付加し、その状態が異常であることを視覚的に容易に判別できる。
【００２７】
（実施例３）
本実施例では、図６に示すようにロックレバー２１のストッパー部２１ｂはストッパー効果を有する部位２１ｂ部分と２１ｃ部分の２箇所設けている。
【００２８】
これによりロックつまみ２４の回動動作の異なる複数の機種に対応することができる。
【００２９】
【発明の効果】
以上実施例から明らかなように、本発明によれば、ロックつまみの二段階操作方式による操作性と安全性を確保し、かつ蓋体の半係合が発生した場合にロックつまみが自重で回動前の位置に戻ることを阻止する機能を従来と同じ構成部品に付加し、その状態が異常であることを視覚的に容易に判別できる。
【図面の簡単な説明】
【図１】  （ａ）本発明の実施例１を示す電気湯沸かし器の要部破断斜視図
（ｂ）本発明の実施例１を示す電気湯沸かし器の状態１を示す要部断面図
【図２】  本発明の実施例１を示す電気湯沸かし器の状態２を示す要部断面図
【図３】  本発明の実施例１を示す電気湯沸かし器の状態３を示す要部断面図
【図４】  本発明の実施例２を示す電気湯沸かし器の状態１を示す要部断面図
【図５】  本発明の実施例２を示す電気湯沸かし器の状態２を示す要部断面図
【図６】  本発明の実施例３を示す電気湯沸かし器の要部斜視図
【図７】  従来例を示す電気湯沸かし器の要部断面図
【符号の説明】
１１    ボデー
１２    注口
１２ａ  ヒンジ部
１２ｂ  フック部
１３    液体
１４    容器
１５    発熱体
２０    蓋体
２１    ロックレバー
２１ａ  動作部
２１ｂ、２１ｃ  ストッパー部
２２    ロックばね
２４    ロックつまみ
２４ｃ  ストッパー受部
２５    軌跡
【図１】
0004165000.tif 000002
【図２】
0004165000.tif 000003
【図３】
0004165000.tif 000004
【図４】
0004165000.tif 000005
【図５】
0004165000.tif 000006
【図６】
0004165000.tif 000007
【図７】
0004165000.tif 000008